(57)【要約】【課題】ユーザーの不快感を軽減し、且つ、ＣＣＤの出力を瞬間的に大きく変化させる突発的な現象が発生することによる原稿長さの誤特定の発生を低減する。【解決手段】原稿の主走査方向の長さを特定する長さ特定処理にて、ＣＣＤによる受光量が閾値を下回った場合又は閾値以下であった場合には、ＬＥＤ素子をその受光量を取得したときと同じ点灯条件のもとで点灯させてＣＣＤによる受光量を再取得した結果と閾値とを再比較する再処理を少なくとも１回実施するように、読取制御部を構成した。【選択図】図８
2014138220.tif 000002
【特許請求の範囲】
【請求項１】
原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、前記移動照射手段を前記原稿台上の原稿に対向させた状態で前記原稿の主走査方向の長さを特定するための長さ特定処理を開始し、前記長さ特定処理にて、複数の前記分割光源の少なくとも１つを点灯させながら前記画像センサーによる受光量を取得した結果と所定の閾値とを比較する取得比較処理を、点灯させる前記分割光源を互いに異ならせた複数の点灯条件でそれぞれ実施し、それぞれの前記取得比較処理における比較結果に基づいて前記長さを特定する制御手段とを有する原稿読取装置において、
前記長さ特定処理にて、前記取得比較処理における前記受光量が前記閾値を下回った場合又は前記閾値以下であった場合には、その受光量を取得した取得比較処理と同じ点灯条件のもとで前記受光量を再取得した結果と前記閾値とを再比較する再処理を少なくとも１回実施するように、前記制御手段を構成したことを特徴とする原稿読取装置。
【請求項２】
請求項１の原稿読取装置において、
前記長さ特定処理にて、前記移動照射手段を副走査方向における原稿読取開始位置に向けて移動させる処理を実施するように、前記制御手段を構成したことを特徴とする原稿読取装置。
【請求項３】
請求項１又は２の原稿読取装置において、
前記長さ特定処理にて、前記再処理の実施の有無にかかわらず、前記取得比較処理や前記再処理を合計で所定の規定回数だけ実施してから前記長さを特定する処理を実施するように、前記制御手段を構成したことを特徴とする原稿読取装置。
【請求項４】
請求項３の原稿読取装置において、
前記再処理を実施した場合には、その後、前記点灯条件の切り替えの順序を通常の順序から変更する処理を実施するように、前記制御手段を構成したことを特徴とする原稿読取装置。
【請求項５】
請求項３又は４の原稿読取装置において、
前記再処理における比較の結果が前記閾値以上になった場合又は前記閾値を超えた場合には、その後に実施する前記取得比較処理における前記点灯条件として、前記再処理を１回も実施しないで互いに異なる点灯条件で前記規定回数分の前記取得比較処理を実施する場合におけるそれぞれの点灯条件を２つ以上組み合わせたものを採用する処理を実施するように、前記制御手段を構成したことを特徴とする原稿読取装置。
【請求項６】
請求項３乃至５の何れかの原稿読取装置において、
前記長さ特定処理にて、前記規定回数目に前記取得比較処理を実施し且つその取得比較処理で前記受光量が前記閾値を下回った場合又は前記閾値以下であった場合には、前記再処理の実施を省略する処理を実施するように、前記制御手段を構成したことを特徴とする原稿読取装置。
【請求項７】
請求項３乃至６の何れかの原稿読取装置において、
前記長さ特定処理にて、１回目から前記規定回数目までに前記再処理を少なくとも１回実施した場合には、前記規定回数目の前記取得比較処理又は前記再処理を実施した後、必要に応じて例外として前記取得比較処理を追加で実施し、その取得比較処理にて１回目から規定回数目までで採用しなかった点灯条件で前記分割光源を点灯させる処理を実施するように、前記制御手段を構成したことを特徴とする原稿読取装置。
【請求項８】
請求項１乃至７の何れかの原稿読取装置において、
前記原稿台上に載置された原稿を前記原稿台の表面に向けて押さえる原稿押さえ手段と、前記原稿押さえ手段の前記原稿台に対する開閉動作を検知する開閉検知手段とを設けるとともに、
前記開閉検知手段によって前記原稿押さえ手段の閉動作が検知されたことに基づいて、前記長さ特定処理を開始する処理を実施するように、制御手段を構成したことを特徴とする原稿読取装置。
【請求項９】
原稿の画像を読み取る画像読取装置と、前記画像読取装置による画像の読取結果に基づいて記録部材に画像を形成する画像形成手段とを備える画像形成装置において、
前記画像読取装置として、請求項１乃至８の何れかの画像読取装置を用いたことを特徴とする画像形成装置。
【請求項１０】
原稿台に原稿を載置する工程と、前記原稿台の表面に沿った主走査方向に並ぶ複数の分割光源を具備する光源のそれぞれの分割光源から前記原稿台上の原稿に向けて照射して原稿面での反射光を得ながら、該光源を搭載した移動照射手段を前記表面に沿いつつ前記主走査方向に直交する方向である副走査方向に移動させ、前記移動照射手段からの反射光を画像センサーに受光させて原稿の画像を読み取らせる工程と、前記移動照射手段を前記原稿台上の原稿に対向させた状態で前記原稿の主走査方向の長さを特定するための長さ特定工程を開始し、前記長さ特定工程にて、複数の前記分割光源の少なくとも１つを点灯させながら前記画像センサーによる受光量を取得した結果と所定の閾値とを比較する取得比較工程を、点灯させる前記分割光源を順次切り替えてそれぞれ実施し、それぞれの前記取得比較工程における比較結果に基づいて前記長さを特定する原稿読取方法において、
前記長さ特定工程にて、前記取得比較工程における前記受光量が前記閾値を下回った場合又は前記閾値以下であった場合には、その受光量を取得した取得比較工程と同じ点灯条件のもとで前記受光量を再取得した結果と前記閾値とを再比較する再工程を少なくとも１回実施することを特徴とする原稿読取方法。
【発明の詳細な説明】
【技術分野】
【０００１】
本発明は、原稿の画像を画像センサーに読み取らせる原稿読取方法、並びに、かかる原稿読取方法を用いる原稿読取装置及び画像形成装置に関するものである。
【背景技術】
【０００２】
従来、この種の原稿読取装置としては、特許文献１に記載のものが知られている。この原稿読取装置は、原稿台ガラスに対して開閉動作可能な原稿圧板や、原稿台ガラスの表面に沿った主走査方向に並べられた複数のＬＥＤ素子を具備するＬＥＤアレイを搭載した光学台などを備えている。この光学台は、原稿台ガラスの上に載置された原稿の画像を光走査するために、原稿台ガラスの表面に沿った方向であり且つ主走査方向に直交する方向である副走査方向に移動できるようになっている。また、原稿圧板は、操作者によって原稿台ガラスに対して閉じられることで、原稿台ガラス上の原稿を原稿台ガラスに向けて押さえ付ける。この状態で操作者によって読取開始命令がなされると、原稿読取装置は、移動照射部たる光学台の複数のＬＥＤ素子から発した光をそれぞれ原稿に向けて照射して原稿面での反射光を得ながら、光学台を副走査方向に移動させる。そして、得られた反射光を画像センサーとしてのＣＣＤに受光させて原稿の画像を読み取らせる。
【０００３】
この原稿読取装置の制御部は、このようにして原稿の画像を読み取るのに先立って、原稿台ガラス上の原稿の主走査方向における長さを特定するための長さ特定処理を実施する。この長さ特定処理のために、原稿読取装置は、原稿圧板の近傍に、原稿圧板の開閉動作を検知する開閉センサーを具備している。操作者が原稿台ガラスの上に原稿を置くために原稿圧板を開くと、その開動作が開閉センサーによって検知される。原稿読取装置の制御部は、原稿圧板の開動作が検知されると、光学台を副走査方向における所定のホームポジションから原稿の先端部に対向する原稿サイズ検知位置まで移動させる。その後、開閉センサーによって原稿圧板の閉動作の開始が検知されると、原稿の主走査方向の長さを特定できるまで、次のような処理を繰り返す。即ち、ＬＥＤアレイに具備される複数のＬＥＤ素子のうち、何れかを点灯させ、その点灯によって得られた反射光をＣＣＤで受光する。そして、その受光量に基づいて、点灯したＬＥＤ素子の上に原稿が存在しているか否かを判断する。このような原稿の存否の判断を、点灯するＬＥＤ素子を順次切り替えながらそれぞれ実施していく。そして、それらの判断結果に基づいて、原稿の主走査方向の長さを特定する。
【０００４】
特許文献１では、原稿読取装置のかかる構成により、長さ特定処理の実施時にＬＥＤアレイの光をユーザーの目に入れてしまうことによる不快感を軽減することができるとしている。
【発明の概要】
【発明が解決しようとする課題】
【０００５】
不快感を軽減できる理由につき、特許文献１においては具体的な説明がないが、次の通りであると考えられる。即ち、操作者が原稿台ガラスの上に原稿を置いて原稿圧板を閉じ始めると、原稿読取装置が長さ特定処理を開始してＬＥＤ素子を点灯させ始める。その後、原稿圧板が完全に閉じられると、原稿の存在しない領域であっても、原稿を押さえている原稿圧板の表面がＬＥＤ光を良好に反射させることから、その領域に原稿が存在しているものと誤特定されてしまう。このため、長さ特定処理については、原稿圧板が閉じられ始めてから、完全に閉じられる前の期間で完了する必要がある。かかる期間では、原稿圧板が完全に閉じられていないことから、ＬＥＤ光が原稿台ガラスと原稿圧板との間から漏れてユーザーの目に入ってしまい易くなる。
【０００６】
特許文献１に記載の原稿読取装置においては、長さ特定処理でＬＥＤ素子を交代で順次点灯させていくことで、全てのＬＥＤ素子を同時に点灯させる場合に比べて光量を少なくする。これにより、原稿台ガラスと原稿圧板との間から同時に漏れてしまう光の量を低減して、ユーザーの不快感を低減することができるものと考えられる。
【０００７】
ところが、この原稿読取装置では、ノイズの発生など、ＣＣＤからの出力を一時的に大きく低下させる突発的な現象が発生すると、原稿の主走査方向の長さを本来よりも小さな値に誤って特定してしまうおそれがある。具体的には、前述のような突発的な現象が瞬間的に発生してＣＣＤからの出力が大きく低下すると、その時に点灯されているＬＥＤ素子との対向位置に原稿が存在しているにもかかわらず、存在していないと誤って判定される。これにより、原稿の主走査方向の長さが本来よりも小さな値として誤って特定されてしまうのである（以下、このような誤った特定を誤特定という）。
【０００８】
本発明は、以上の背景に鑑みてなされたものであり、その目的とするところは、次のような原稿読取方法、原稿読取装置、及び画像形成装置を提供することである。即ち、ユーザーの不快感を軽減し、且つ、画像センサーの出力を瞬間的に大きく変化させる突発的な現象が発生することによる原稿長さの誤特定の発生を低減することができる原稿読取方法等である。
【課題を解決するための手段】
【０００９】
上記目的を達成するために、本発明は、原稿を載置する原稿台と、前記原稿台の表面に沿った主走査方向に並ぶ複数の分割光源を具備する光源のそれぞれの分割光源から発した光を前記原稿台上の原稿に向けて照射して原稿面での反射光を得ながら、前記表面に沿いつつ主走査方向に直交する方向である副走査方向に移動する移動照射手段と、前記移動照射手段からの反射光を受光して原稿の画像を読み取る画像センサーと、前記移動照射手段を前記原稿台上の原稿に対向させた状態で前記原稿の主走査方向の長さを特定するための長さ特定処理を開始し、前記長さ特定処理にて、複数の前記分割光源の少なくとも１つを点灯させながら前記画像センサーによる受光量を取得した結果と所定の閾値とを比較する取得比較処理を、点灯させる前記分割光源を互いに異ならせた複数の点灯条件でそれぞれ実施し、それぞれの前記取得比較処理における比較結果に基づいて前記長さを特定する制御手段とを有する原稿読取装置において、前記長さ特定処理にて、前記取得比較処理における前記受光量が前記閾値を下回った場合又は前記閾値以下であった場合には、その受光量を取得した取得比較処理と同じ点灯条件のもとで前記受光量を再取得した結果と前記閾値とを再比較する再処理を少なくとも１回実施するように、前記制御手段を構成したことを特徴とするものである。
また、本発明は、原稿台に原稿を載置する工程と、前記原稿台の表面に沿った主走査方向に並ぶ複数の分割光源を具備する光源のそれぞれの分割光源から前記原稿台上の原稿に向けて照射して原稿面での反射光を得ながら、該光源を搭載した移動照射手段を前記表面に沿いつつ前記主走査方向に直交する方向である副走査方向に移動させ、前記移動照射手段からの反射光を画像センサーに受光させて原稿の画像を読み取らせる工程と、前記移動照射手段を前記原稿台上の原稿に対向させた状態で前記原稿の主走査方向の長さを特定するための長さ特定工程を開始し、前記長さ特定工程にて、複数の前記分割光源の少なくとも１つを点灯させながら前記画像センサーによる受光量を取得した結果と所定の閾値とを比較する取得比較工程を、点灯させる前記分割光源を順次切り替えてそれぞれ実施し、それぞれの前記取得比較工程における比較結果に基づいて前記長さを特定する原稿読取方法において、前記長さ特定工程にて、前記取得比較工程における前記受光量が前記閾値を下回った場合又は前記閾値以下であった場合には、その受光量を取得した取得比較工程と同じ点灯条件のもとで前記受光量を再取得した結果と前記閾値とを再比較する再工程を少なくとも１回実施することを特徴とするものである。
【発明の効果】
【００１０】
本発明においては、長さ特定処理にて、複数の分割光源を交代で順次点灯させていくことで、全ての分割光源を同時に点灯させる場合に比べて光量を少なくする。これにより、原稿台と原稿との間から同時に漏れてしまう光の量を低減して、ユーザーの不快感を低減することができる。
【００１１】
また、本発明において、突発的な現象によって画像センサーの出力が瞬間的に大きく低下したことに起因して、取得比較処理（取得比較工程）で受光量が閾値を下回った場合又は閾値以下になった場合には、再処理を実施する。そして、この再処理にて、受光量が閾値を下回った又は閾値以下になった取得比較処理と同じ点灯条件のもとで画像センサーによる受光量を再取得する。突発的な現象による画像センサーの出力変化は瞬間的なものであるので、再処理では受光量として正常な値のものを取得できる可能性が高い。このため、突発的な現象によって画像センサーの出力が瞬間的に変化したとしても、再処理の実施によって受光量を正常に取得した結果に基づいて、点灯している分割光源の対向位置における原稿の存否を正しく判定することが可能である。よって、突発的な現象が発生することによる原稿長さの誤特定の発生を低減することができる。
【図面の簡単な説明】
【００１２】
【図１】実施形態に係る複写機を示す斜視図。
【図２】実施形態に係る複写機を示す概略構成図。
【図３】同複写機における画像形成部の内部構成の一部を拡大して示す部分構成図。
【図４】同複写機における４つの作像ユニットからなるタンデム部の一部を示す部分拡大図。
【図５】同複写機における画像読取ユニットを示す斜視図。
【図６】同画像読取ユニットのスキャナの移動照射部に搭載されたＬＥＤアレイを示す斜視図。
【図７】同スキャナの第２コンタクトガラス上に載置される原稿の位置と、原稿のサイズと、ＬＥＤアレイの点灯パターンとを説明するための平面模式図。
【図８】同スキャナにおける電気回路の一部を示すブロック図。
【図９】同第２コンタクトガラス上に載置された原稿のサイズと、各点灯条件における受光量の取得対象領域との関係を説明するための平面模式図。
【図１０】第１実施例に係る複写機における第２コンタクトガラス上に載置される原稿の位置と、原稿のサイズと、ＬＥＤアレイの点灯パターンとを説明するための平面模式図。
【図１１】同第２コンタクトガラス上に載置された原稿のサイズと、各点灯条件における受光量の取得対象領域との関係を説明するための平面模式図。
【図１２】第２実施例に係る複写機の読取制御部によって実施される長さ特定処理の各工程を示すフローチャート。
【図１３】同複写機の４回分の取得比較処理や前処理における判定結果と、原稿の主走査方向の長さとの関係の例をそれぞれ示す複数の表を示す図。
【図１４】第３実施例に係る複写機の読取制御部によって実施される長さ特定処理の各工程を示すフローチャート。
【発明を実施するための形態】
【００１３】
以下、本発明を、電子写真方式の複写機（以下、単に複写機という）に適用した実施形態について説明する。
まず、実施形態に係る複写機の基本的な構成について説明する。図１は、実施形態に係る複写機を示す斜視図である。この複写機は、画像形成装置としての画像形成部１と、シート供給装置４０と、画像読取ユニット５０とを備えている。画像読取装置としての画像読取ユニット５０は、画像形成部１の上に固定された原稿読取装置としてのスキャナ１５０と、これに支持されるシート搬送装置としての原稿自動搬送装置（以下、ＡＤＦという）５１とを有している。
【００１４】
図２は、実施形態に係る複写機を示す概略構成図である。同図において、画像形成部１のシート供給装置４０は、ペーパーバンク４１内に多段に配設された２つの給紙カセット４２、給紙カセットから記録シートを送り出す送出ローラ４３、送り出された記録シートを１枚ずつに分離する分離ローラ４５等を有している。また、画像形成部１の搬送路としての給紙路３７に対して、シート部材としての記録シートを搬送する複数の搬送ローラ対４６等も有している。
【００１５】
給紙カセット４２は、複数の記録シートを重ねたシート束の状態で内部に収容している。そして、一番上の記録シートに対して送出ローラ４３を押し当てている。送出ローラ４３が回転すると、シート束の一番上の記録シートが給紙カセット４２から送り出される。
【００１６】
給紙カセット４２の付近では、搬送ローラ対４６の第１搬送ローラと、これの側方（図２中右側方）に配設された第２搬送ローラとが互いに当接して搬送ニップを形成している。また、第１搬送ローラの下方には、分離ローラ４５が配設されており、第１搬送ローラに対して下方から当接して分離搬送ニップを形成している。
【００１７】
送出ローラ４３の回転駆動によって給紙カセット４２から送り出された記録シートは、搬送ローラ対４６の第１搬送ローラと、これの下方に配設された分離ローラ４５との当接による分離搬送ニップに進入する。この分離搬送ニップでは、記録シートの上面に当接する第１搬送ローラが図中反時計回り方向に回転駆動しながら、記録シートに対して給紙カセット４２側から給送路４４側に向かう搬送力を付与する。これに対し、記録シートの下面に当接する分離ローラ４５が図中反時計回り方向に回転駆動しながら、記録シートに対して給送路４４側から給紙カセット４２側に向かう搬送力を付与して、記録シートを給紙カセット４２に戻そうとする。
【００１８】
給紙カセット４２から記録シートが１枚だけの状態で送り出された場合、分離搬送ニップにおいて、第１搬送ローラと分離ローラ４５とが記録シートに対して互いに逆方向に向かう搬送力を付与する。これにより、分離ローラ４５の駆動伝達系に所定の閾値を超える負荷がかかる。すると、その駆動伝達系内に配設されたトルクリミッターが作動して、図示しないＤＣブラシレスモータからの駆動力の分離ローラ４５に対する伝達を切る。すると、分離ローラ４５が第１搬送ローラによって搬送される記録シートに連れ回るようになって、記録シートが分離搬送ニップから給送路４４に向けて排出される。
【００１９】
一方、給紙カセット４２から記録シートが複数枚重なった状態で送り出された場合、分離搬送ニップにおいて、第１搬送ローラが一番上の記録シートに対して給紙カセット４２側から給送路４４側に向かう搬送力を付与する。そして、一番上の記録シートを分離搬送ニップから給送路４４側に向けて送り出す。これに対し、分離ローラが下側に位置している記録シートに対して給送路４４側から給紙カセット側に向かう搬送力を付与して、下側の記録シートを分離搬送ニップ内から給紙カセット４２側に逆戻りさせる。これにより、分離搬送ニップでは、一番上の記録シートが他の記録シートから分離されて１枚の状態で給送路４４に送り出される。
【００２０】
給送路４４に進入した記録シートは、搬送ローラ対４６の搬送ニップに進入して、鉛直方向下方側から上方側に向かう搬送力を付与される。これにより、給送路４４内では、記録シートが画像形成部１の給紙路３７に向けて搬送される。
【００２１】
画像形成手段としての画像形成部１は、光書込装置２、黒，イエロー，マゼンタ，シアン（Ｋ，Ｙ，Ｍ，Ｃ）のトナー像を形成する４つの作像ユニット３Ｋ，Ｙ，Ｍ，Ｃ、転写ユニット２４等を備えている。また、紙搬送ユニット２８、レジストローラ対３３、定着装置３４、スイッチバック装置３６、給紙路３７等も備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。
【００２２】
図３は、画像形成部１の内部構成の一部を拡大して示す部分構成図である。また、図４は、４つの作像ユニット３Ｋ，Ｙ，Ｍ，Ｃからなるタンデム部の一部を示す部分拡大図である。なお、４つの作像ユニット３Ｋ，Ｙ，Ｍ，Ｃは、それぞれ使用するトナーの色が異なる他はほぼ同様の構成になっているので、図４においては各符号に付すＫ，Ｙ，Ｍ，Ｃという添字を省略している。
【００２３】
作像ユニット３Ｋ，Ｙ，Ｍ，Ｃは、それぞれ、感光体とその周囲に配設される各種装置とを１つのユニットとして共通の支持体に支持するものであり、画像形成部１本体に対して着脱可能になっている。黒用の作像ユニット３Ｋを例にすると、これは、感光体４の周りに、帯電装置２３、現像装置６、ドラムクリーニング装置１５、除電ランプ２２等を有している。本複写機では、４つの作像ユニット３Ｋ，Ｙ，Ｍ，Ｃを、後述する中間転写ベルト２５に対してその無端移動方向に沿って並べるように対向配設した、いわゆるタンデム型の構成になっている。
【００２４】
感光体４としては、アルミニウム等の素管に、感光性を有する有機感光材の塗布による感光層を形成したドラム状のものを用いている。但し、無端ベルト状のものを用いても良い。
【００２５】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。
【００２６】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサー１０などを有している。
【００２７】
現像部１１は、現像ケース９の開口を通して感光体４に対向する現像スリーブ１２、これの内部に回転不能に設けられたマグネットローラ１３、現像スリーブ１２に先端を接近させるドクタブレード１４などを有している。現像スリーブ１２は、非磁性の回転可能な筒状になっている。マグネットローラ１３は、ドクタブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１２表面に引き寄せて担持させるとともに、スリーブ表面上で磁力線に沿った磁気ブラシを形成する。
【００２８】
磁気ブラシは、現像スリーブ１２の回転に伴ってドクタブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサー１０による検知結果に基づいて、二成分現像剤に適量のトナーが補給される。なお、現像装置６として、二成分現像剤を用いるものの代わりに、磁性キャリアを含まない一成分現像剤を用いるものを採用してもよい。
【００２９】
ドラムクリーニング装置１５としては、弾性体からなるクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置６に送ってリサイクルする。
【００３０】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００３１】
図３において、４つの作像ユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００３２】
４つの作像ユニット３Ｋ，Ｙ，Ｍ，Ｃの下方には、転写ユニット２４が配設されている。ベルト駆動装置としての転写ユニット２４は、複数のローラによって張架した中間転写ベルト２５を、感光体４Ｋ，Ｙ，Ｍ，Ｃに当接させながら図３中時計回り方向に無端移動させる。これにより、感光体４Ｋ，Ｙ，Ｍ，Ｃと、無端状のベルト部材である中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００３３】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００３４】
この２次転写ニップの図中右側方には、レジストローラ対３３が配設されている。また、レジストローラ対３３のレジストニップの入口付近には、図示しないレジストローラセンサーが配設されている。図示しないシート供給装置からレジストローラ対３３に向けて搬送されてくる記録部材としての記録シートは、その先端がレジストローラセンサーに検知された所定時間後記録シートの搬送が一時停止し、レジストローラ対３３のレジストニップに先端を突き当てる。
【００３５】
記録シートの先願がレジストニップに突き当たると、レジストローラ対３３は、記録シートを中間転写ベルト２５上の４色トナー像に同期させ得るタイミングでローラ回転駆動を再開して、記録シートを２次転写ニップに送り出す。２次転写ニップ内では、中間転写ベルト２５上の４色トナー像が２次転写電界やニップ圧の作用によって記録シートに一括２次転写され、記録シートの白色と相まってフルカラー画像となる。２次転写ニップを通過した記録シートは、中間転写ベルト２５から離間して、紙搬送ベルト２９のおもて面に保持されながら、その無端移動に伴って定着装置３４へと搬送される。
【００３６】
２次転写ニップを通過した中間転写ベルト２５の表面には、２次転写ニップで記録シートに転写されなかった転写残トナーが付着している。この転写残トナーは、中間転写ベルト２５に当接するベルトクリーニング装置によって掻き取り除去される。
【００３７】
定着装置３４に搬送された記録シートは、定着装置３４内における加圧や加熱によってフルカラー画像が定着させしめられた後、定着装置３４から排紙ローラ対３５に送られた後、機外へと排出される。
【００３８】
図２において、紙搬送ユニット２８および定着装置３４の下には、スイッチバック装置３６が配設されている。これにより、片面に対する画像定着処理を終えた記録シートが、切換爪で記録シートの進路を記録シート反転装置側に切り替えられ、そこで反転されて再び２次転写転写ニップに進入する。そして、もう片面にも画像の２次転写処理と定着処理とが施された後、排紙トレイ上に排紙される。
【００３９】
画像形成部１の上に固定されたスキャナ１５０は、移動照射部１５２を有している。移動照射部１５２は、原稿ＭＳに接触するようにスキャナ１５０のケーシング上壁に固定された図示しない第２コンタクトガラスの直下に配設されている。光源としてのＬＥＤアレイや、反射ミラーなどからなる光学系を具備する移動照射部１５２は、図１中左右方向である副走査方向に移動することができる。そして、図１中左側から右側に移動していく過程で、ＬＥＤアレイから発した光を第２コンタクトガラス上に載置された図示しない原稿で反射させた後、反射ミラーを経由させて、スキャナ本体に固定された画像読取センサー１５３に受光させる。
【００４０】
なお、移動照射部１５２は、図示の位置よりも少し左側の位置に移動して、スキャナ１５０のケーシング上壁に固定された図示しない第１コンタクトガラスの直下に位置することも可能である。
【００４１】
スキャナ１５０の上に配設されたＡＤＦ５１は、本体カバー５２に、読取前の原稿ＭＳを載置するための原稿載置台５３を保持している。加えて、シート部材としての原稿ＭＳを搬送するための搬送ユニット５４、読取後の原稿ＭＳをスタックするための原稿スタック台５５なども保持している。図５に示されるように、スキャナ１５０に固定された蝶番１５９によって上下方向に揺動可能に支持されている。そして、その揺動によって開閉扉のような動きをとり、開かれた状態でスキャナ１５０の上面の第１コンタクトガラス１５４や第２コンタクトガラス１５５を露出させる。原稿束の片隅を綴じた本などの片綴じ原稿の場合には、原稿を１枚ずつ分離することができないため、ＡＤＦによる搬送を行うことができない。そこで、片綴じ原稿の場合には、ＡＤＦ５１を図５に示されるように開いた後、読み取らせたいページが見開かれた片綴じ原稿を下向きにして第２コンタクトガラス１５５上に載せた後、ＡＤＦを閉じる。そして、図示しないコピースタートボタンを押す。すると、スキャナ１５０の移動照射部（１５２）は、第１コンタクトガラス１５４の直下の位置をホームポジションにしており、読取待機中にはそのホームポジションで停止している。コピースタートボタンが押されると、移動照射部（１５２）がホームポジションから第２コンタクトガラス１５５の直下に向けて移動し始める。そして、第２コンタクトガラス１５５の図５中における左側端部から右側端部に向けて移動していく。このとき、移動照射部（１５２）は、ＬＥＤアレイから発した光を原稿面で反射させて、反射光をＣＣＤ（１５３）に向けて導く。これにより、原稿の画像がＣＣＤによって原稿の先端側（副走査方向の上流側）から後端側に向けて順次読み取られていく。なお、ＡＤＦ５１は、原稿台たる第２コンタクトガラス１５５上に載置された原稿を第２コンタクトガラス１５５に向けて押さえ付ける原稿押さえ手段として機能している。
【００４２】
原稿が互いに独立した複数の原稿ＭＳを単に積み重ねた原稿束である場合には、その原稿ＭＳをＡＤＦ５１によって１枚ずつ自動搬送しながら、その画像をスキャナ１５０に順次読み取らせていくことができる。この場合、操作者は原稿束を原稿載置台５３上にセットした後、図示しないコピースタートボタンを押す。すると、ＡＤＦ５１が、原稿載置台５３上に載置された原稿束の原稿ＭＳを上から順に搬送ユニット５４内に送り、それを反転させながら原稿スタック台５５に向けて搬送する。この搬送の過程で、原稿ＭＳを反転させながらスキャナ１５０の第１コンタクトガラス１５４の真上に通す。これにより、原稿ＭＳの第１面の画像が上述したホームポジションで停止したままの状態の移動照射部（１５２）によって走査されてＣＣＤ（１５３）に読み取られる。
【００４３】
なお、図５において、ＡＤＦ５１とスキャナ１５０とを具備する画像読取ユニット５０は、ＡＤＦ５１の開閉角度を検知するロータリーエンコーダー等からなる開閉センサー１５７を有している。以下、ＡＤＦ５１の開閉角度について、ＡＤＦ５１がスキャナ１５０の第２コンタクトガラス１５５に接触して第２コンタクトガラス１５５を完全に覆う状態の開閉角度を０［°］として説明する。また、ＡＤＦ５１がほぼ鉛直方向に延在する姿勢になるまで開かれた状態の開閉角度を９０［°］として説明する。
【００４４】
図６は、移動照射部（１５２）に搭載された光源としてのＬＥＤアレイ１５２ａを示す斜視図である。図示のように、ＬＥＤアレイ１５２ａは、分割光源たる複数のＬＥＤ素子１５２ａ’を具備している。これらＬＥＤ素子１５２ａ’は、第１コンタクトガラス（１５４）の表面に沿いつつ、移動照射部（１５２）の移動方向に直交する方向である主走査方向に沿って一直線状に並んでいる。スキャナ１５０は、原稿（ＭＳ）の画像を読み取るときには、ＬＥＤアレイ１５２ａの全てのＬＥＤ素子１５２ａ’を点灯させた状態で移動照射部（１５２）を原稿（ＭＳ）の先端側から後端側に向けて移動させる。
【００４５】
図７は、第２コンタクトガラス１５５上に載置される原稿の位置と、原稿のサイズと、、ＬＥＤアレイ１５２ａの点灯パターンとを説明するための平面模式図である。同図は、第２コンタクトガラス１５５を鉛直方向の上方から示しており、第２コンタクトガラス１５５の直下に、移動照射部１５２が配設されている。
【００４６】
同図において、Ａ４、Ｂ５、Ａ３という文字は、それぞれ原稿のサイズを示している。第２コンタクトガラス１５５は、自らの平面の短手方向を原稿読取の際の原稿走査における主走査方向に沿わせつつ、長手方向を副走査方向に沿わせる姿勢で配設されている。そして、移動照射部１５２は、その長手方向を主走査方向に沿わせた姿勢で配設されており、図示しない移動機構によって副走査方向に移動することが可能になっている。つまり、移動照射部１５２は、第２コンタクトガラス１５５の長手方向に沿って往復移動することが可能である。第２コンタクトガラス１５５上に載置された原稿の画像を読み取る際には、移動照射部１５２は、副走査方向において、図中の左側から右側に向けて移動する。以下、原稿を読み取る際の副走査方向における図中の左側を読取時上流側という。また、図中の右側を読取時下流側という。
【００４７】
実施形態に係る複写機では、図中の太矢印の先端位置を原稿基準位置としている。この原稿基準位置は、第２コンタクトガラス１５５の２次元平面上にある４つのコーナーのうち、１つのコーナーの位置であり、このコーナーは、第２コンタクトガラス１５５の副走査方向における全域のうち、読取時の副走査方向の上流端に存在している。
【００４８】
図８は、実施形態に係る複写機のスキャナ（１５０）における電気回路の一部を示すブロック図である。同図において、制御手段としての読取制御部１７０は、図示しないＣＰＵ（Central Processing Unit）、ＲＡＭ（Random Access Memory）、ＲＯＭ（Read Only Memory）などからなる。読取制御部１７０には、開閉センサー１５７、画像処理回路１７１、ＬＥＤ駆動回路１７２、モーター駆動回路１７３、ホームポジションセンサー１７５などが接続されている。同図に示される開閉センサー１５７、ＬＥＤアレイ１５２ａ、ＣＣＤ１５３の役割については、既に述べた通りであるので説明を省略する。
【００４９】
ホームポジションセンサー１７５は、透過型フォトセンサー等からなり、移動照射部（１５２）についてホームポジションに位置しているか否かを検知して、その検知結果を読取制御部１７０に出力するものである。また、ＬＥＤ駆動回路１７２は、読取制御部１７０からの信号に基づいて、ＬＥＤアレイ１５２ａの複数のＬＥＤ素子における点灯の入切を後述するブロック毎に制御するものである。また、画像処理回路１７１は、ＣＣＤ１５３からの信号に基づいて読取画像の画像データを構築するものであり、必要に応じてＣＣＤ１５３の主走査方向における所定領域の受光量の信号を読取制御部１７０に出力する。また、移動モーター１７４は、移動照射部（１５２）を副走査方向に移動させるためのものであって、ステッピングモーターからなっている。この移動モーター１７４に対する励磁はモーター駆動回路１７３によって制御されるが、駆動量や駆動方向などについては読取制御部１７０によって制御される。
【００５０】
読取待機時には、移動照射部１５２は上述したホームポジションに位置している。図７において、このホームポジションは第２コンタクトガラス１５５よりも図中の左側の位置であり、図示されていない。通常は、図示しないＡＤＦ（５１）が完全に閉じられていて第２コンタクトガラス１５５を覆っている状態になっている。このため、操作者は、第２コンタクトガラス１５５の上に原稿を載置するためには、ＡＤＦ（５１）を開く必要がある。操作者によってＡＤＦ（５１）が開かれ始めて、ＡＤＦ（５１）の開閉角度がそれまでの０［°］から上昇して３０［°］まで到達すると、スキャナ１５０に搭載された読取制御部（１７０）は、ＡＤＦ（５１）の開操作がなされ始めたことを認識する。そして、その認識に基づいて、移動照射部１５２をホームポジションから図中の原稿サイズ検知位置ＤＰまで移動させる。なお、本明細書では、移動照射部１５２の副走査方向における読取時上流側の端を、移動照射部１５２の副走査方向の位置基準として説明している。このため、同図においては、原稿サイズ検知位置ＤＰを示す一点鎖線を、図中の移動照射部１５２における読取時上流側の端と同じ位置に示している。
【００５１】
移動照射部１５２のＬＥＤアレイ１５２ａは、主走査方向において７つのブロックに分割されている。そして、複数のＬＥＤ素子（１５２ａ’）の点灯の入切を、ブロック毎に制御することが可能になっている。つまり、同じブロックに存在するＬＥＤ素子同士に対しては、同時に電源の入切がなされるようになっている。
【００５２】
操作者は、どのようなサイズの原稿であっても、図示のように、その原稿の副走査方向における先端に存在する角を、第２コンタクトガラス１５５の原稿基準位置に位置させる状態で、原稿を第２コンタクトガラス１５５上に載置する。原稿サイズ検知位置ＤＰに位置している移動照射部１５２は、原稿が第２コンタクトガラス１５５上に載置されると、その原稿の副走査方向における読取時上流側の端部に対向する。つまり、原稿サイズ検知位置ＤＰは、移動照射部１５２に対し、第２コンタクトガラス１５５上に載置された原稿の読取時上流側の端部を対向させる位置になっている。
【００５３】
操作者が第２コンタクトガラス１５５の上に原稿を載置した後、図示しないＡＤＦ（５１）を閉じ始めると、ＡＤＦ（５１）の開閉角度が９０［°］から低下し始める。そして、やがて開閉センサー（１５７）による開閉角度の検知結果が７０［°］まで低下する。読取制御部（１７０）は、開閉角度が７０［°］まで低下すると、ＡＤＦ（５１）の閉操作がなされ始めたと判断する。そして、その判断に基づいて、サイズ長さ特定処理を開始する。
【００５４】
長さ特定処理を開始した読取制御部（１７０）は、まず、ＬＥＤアレイ１５２ａの部分点灯を行った状態でのＣＣＤ（１５３）による受光量を取得したり、その受光量について所定の閾値を下回るか否かを判定したりする取得比較処理を実施する。この取得比較処理については、ＬＥＤ素子の点灯条件を順次切り替えながら、それぞれの点灯条件で個別に実施する。
【００５５】
図９は、第２コンタクトガラス１５５上に載置された原稿のサイズと、各点灯条件における受光量の取得対象領域との関係を説明するための平面模式図である。ＣＣＤ（１５３）による受光量の取得対象となる取得対象領域としては、基準判定領域ａ、第１判定領域ｂ、第２判定領域ｃ、及び第３判定領域の４つが予め定められている。基準判定領域ａは、ＬＥＤアレイ（１５２ａ）における第１ブロックのＬＥＤ素子に対向する領域である（図７参照）。また、第１判定領域ｂは、ＬＥＤアレイにおける第５ブロックのＬＥＤ素子に対向する領域である。また、第２判定領域ｃは、ＬＥＤアレイにおける第６ブロックのＬＥＤ素子に対向する領域である。また、第３判定領域ｄは、ＬＥＤアレイにおける第７ブロックのＬＥＤ素子に対向する領域である。
【００５６】
読取制御部（１７０）は、長さ特定処理における初回の取得比較処理において、ＬＥＤアレイ１５２ａに具備される全てのＬＥＤ素子のうち、主走査方向の基準判定領域ａに対向する第１ブロックのＬＥＤ素子だけを点灯させる。そして、この点灯によって得られるＣＣＤ（１５３）による主走査方向の全域における受光量のうち、基準判定領域ａだけにおける受光量と、所定の閾値とを比較する。
【００５７】
主走査方向において、基準判定領域ａは原稿基準位置の近傍に位置している。このため、操作者が原稿を原稿基準位置に合わせて第２コンタクトガラス１５５上に載置した場合には、その原稿は主走査方向において必ず基準判定領域ａの上に存在することになる。初回の取得比較処理において、読取制御部（１７０）が基準判定領域ａにおける受光量と閾値とを比較するのは、第２コンタクトガラス１５５上に原稿が置かれているか否かを判定することを目的にしている。ＣＣＤ（１５３）による基準判定領域ａにおける受光量が所定の閾値を下回った場合には、原稿について、第２コンタクトガラス１５５上に載置されていないと判断しても差し支えないからである。
【００５８】
初回の取得比較処理では、このように、基準判定領域ａに対向する第１ブロックのＬＥＤ素子を点灯させた点灯条件で基準判定領域ａにおける受光量の取得結果と閾値とを比較する。取得比較処理としては、全部で４種類のものがあり、初回の取得比較処理はそのうちの１種類目の取得比較処理（第１種取得比較処理）である。２種類目の取得比較処理（第２種取得比較処理）では、第１判定領域ｂに対向する第５ブロックのＬＥＤ素子を点灯させた点灯条件で第１判定領域ｂにおける受光量の取得結果と閾値とを比較する。また、３種類目の取得比較処理（第３種取得比較処理）では、第２判定領域ｃに対向する第６ブロックのＬＥＤ素子を点灯させた点灯条件で第２判定領域ｃにおける受光量の取得結果と閾値とを比較する。また、４種類目の取得比較処理（第４種取得比較処理）では、第３判定領域ｄに対向する第７ブロックのＬＥＤ素子を点灯させた点灯条件で第３判定領域ｄにおける受光量の取得結果と閾値とを比較する。また、４種類目の取得比較処理（第４種取得比較処理）では、第３判定領域ｄに対向する第７ブロックのＬＥＤ素子を点灯させた点灯条件で第３判定領域ｄにおける受光量の取得結果と閾値とを比較する。
【００５９】
一般に、長さ特定処理において、点灯条件に対応する領域（ａ〜ｄ）についての受光量が所定の閾値を下回った場合、又は閾値以下であった場合には、その領域について原稿が存在していないと判断することが可能である。長さ特定処理では、このように様々な点灯条件で取得した受光量に基づいて、第２コンタクトガラス（１５５）の上に置かれた原稿の主走査方向の長さを特定する。例えば、第１判定領域ｂについての受光量が閾値を下回った場合、又は閾値以下である場合（以下、ケース１という）には、原稿の主走査方向の長さについて、Ａ４短手方向の長さ未満であると特定することが可能である。また、第２判定領域ｃについての受光量が閾値を下回る又は閾値以下であり（以下、ケース２という）、且つ第１判定領域ｂについての受光量が前記ケース１に該当しないとする。この場合には、原稿の主走査方向の長さについて、Ａ４短手方向の長さであると特定することが可能である。また、第３判定領域ｄについての受光量が閾値を下回る又は閾値以下であり、且つ第２判定領域ｃについての受光量が前記ケース２に該当しないとする。この場合には、原稿の主走査方向の長さについて、Ｂ４短手方向の長さであると特定することが可能である。また、第３判定領域ｄについての受光量が閾値以上又は閾値を超え、且つ第２判定領域ｃについての受光量が前記ケース２に該当しないとする。この場合には、原稿の主走査方向の長さについて、Ａ３短手方向の長さであると特定することが可能である。読取制御部（１７０）は、基本的には、このようにして原稿の主走査方向の長さを特定する。
【００６０】
長さ特定処理において、このようにＬＥＤアレイを部分点灯させて原稿の主走査方向における長さを特定することで、長さ特定処理の実施時にＬＥＤアレイの光をユーザーの目に入れてしまうことによる不快感を軽減することができる。なお、実施形態に係る複写機の長さ特定処理として、本段落までに説明してきた事項は、従来の原稿読取装置における長さ特定処理と共通する事項についてだけである。実施形態に係る複写機の長さ特定処理では、従来の長さ特定処理とは異なる特徴的な処理を実施するが、この特徴的な処理については後述する。
【００６１】
取得比較処理において、ノイズの発生など、ＣＣＤ（１５３）による受光量の結果を一時的に大きく低下させる突発的な現象が発生すると、原稿の主走査方向の長さを本来よりも小さな値に誤って特定してしまうおそれがある。具体的には、突発的な現象が瞬間的に発生してＣＣＤによる受光量の検知結果が大きく低下すると、その時に点灯されているＬＥＤ素子との対向位置に原稿が存在しているにもかかわらず、存在していないと誤って判定される。これにより、原稿の主走査方向の長さが本体よりも小さな値として誤って特定されてしまうのである。
【００６２】
次に、実施形態に係る複写機の特徴的な構成について説明する。
読取制御部（１７０）は、長さ特定処理における４種類の取得比較処理にてそれぞれお、受光量が閾値を下回る又は閾値以下である場合には、次回に点灯条件を切り替えて他の種類の取得比較処理を実施する代わりに、次のような処理を実施するようになっている。即ち、点灯させるＬＥＤ素子を切り替えずに同じ点灯条件で受光量を再び取得した結果と閾値とを再比較する再処理を少なくとも１回実施するようになっている。
【００６３】
かかる構成において、突発的な現象によってＣＣＤ（１５３）の受光量の検知結果が瞬間的に大きく低下したことに起因して、取得比較処理で受光量が閾値を下回った又は閾値以下になったとする。この場合、同じ点灯条件での再処理が実施される。そして、この再理にて、同じ点灯条件でＣＣＤによる受光量が再び取得される。突発的な現象による受光量の低下は瞬間的なものであるので、再処理では受光量が正常に取得される可能性が高い。このため、突発的な現象によって受光量が瞬間的に低下したとしても、再処理の実施によって受光量を正常に取得した結果に基づいて、点灯しているＬＥＤ素子医の対向位置における原稿の存否を正しく判定することが可能である。よって、突発的な現象が発生することによる原稿長さの誤特定の発生を低減することができる。
【００６４】
次に、実施形態に係る複写機に、より特徴的な構成を付加した各実施例の複写機について説明する。なお、以下に特筆しない限り、各実施例に係る複写機の構成は実施形態と同様である。
［第１実施例］
長さ特定処理は、原稿サイズ検知位置（ＤＰ）にある移動照射部（１５２）に対して対向する、原稿の先端部が余白になっていることを前提にしているが、先端部に余白が設けられていない原稿も存在する。例えば、原稿の先端部であって且つ主走査方向における第１判定領域ｂにベタ画像が形成されているとする。そして、ＬＥＤアレイ（１５２ａ）の第５ブロックのＬＥＤ素子（１５２ａ’）が原稿の先端部のベタ画像に対向していたとする。すると、そのＬＥＤ素子からの光の原稿面での反射をベタ画像が阻害してしまう。このため、ＣＣＤ（１５３）による第１判定領域ｂにおける受光量は、ベタ画像が存在しない場合に比べて大幅に少なくなる。これにより、本来であれば前記受光量が閾値を上回って（又は閾値以上になって）原稿の主走査方向の長さがＡ４短手方向長さ未満ではないと判定されるべきところ、前記受光量が閾値を上回らなくなる（又は閾値以上ではなくなる）。そして、原稿の主走査方向の長さがＡ４短手方向長さ未満であると誤特定されてしまうおそれがある。
【００６５】
そこで、読取制御部（１７０）は、長さ特定処理にて、移動照射部（１５２）を副走査方向における原稿読取開始位置に向けて移動させる処理を実施するようになっている。
【００６６】
図１０は、第１実施例に係る複写機における第２コンタクトガラス１５５上に載置される原稿の位置と、原稿のサイズと、ＬＥＤアレイ１５２ａの点灯パターンとを説明するための平面模式図である。また、図１１は、第２コンタクトガラス１５５上に載置された原稿のサイズと、各点灯条件における受光量の取得対象領域との関係を説明するための平面模式図である。これえらの図に示されるように、原稿読取開始位置ＳＰは、第２コンタクトガラス１５５の副走査方向における読取時上流側の端に設定されている。原稿の読取は、移動照射部１５２の副走査方向における読取時上流側の端を原稿読取開始位置ＳＰに位置させた状態で開始される。
【００６７】
読取制御部（１７０）は、長さ特定処理において、移動照射部１５２を副走査方向における原稿読取開始位置ＳＰに向けて移動させながら、ＬＥＤ素子の点灯条件の切り替えや受光量の取得を行うようになっている。より詳しくは、長さ特定処理の後に行う原稿の読取については、原稿サイズ検知位置ＤＰに位置させていた移動照射部１５２を上述したホームポジションに一旦移動させてから開始する。このような処理は、従来の原稿読取装置においても同様に行われていた。第１実施例に係る複写機が従来の原稿読取装置と異なっている点は、原稿サイズ検知位置ＤＰに位置させていた移動照射部１５２をホームポジションに移動させ始めるタイミングが、次のようになっている点である。即ち、長さ特定処理の実施後ではなく、長さ特定処理の開始時になっている点である。このため、長さ特定処理においては、結果として移動照射部１５２を原稿読取開始位置ＳＰに向けて移動させながら、ＬＥＤ素子の点灯切り替えや受光量の取得を行う。
【００６８】
長さ特定処理にて、移動照射部１５２を原稿サイズ検知位置ＤＰ側から原稿読取開始位置ＳＰ側に向けて移動させることで、例えば図１１に示されるように、４種類の取得比較処理における取得対象領域（ａ〜ｄ）の副走査方向における位置が互いにずれる。なお、図１１では、１回目に第１種取得比較処理が実施され、２回目に第２種取得比較処理が実施され、３回目に第３取得比較処理が実施され、４回目に第４取得比較処理が実施された例を示している。
【００６９】
第２コンタクトガラス１５５上に載置されている原稿が先端部にベタ画像を有するものであって、そのベタ画像が原稿先端部の副走査方向の全域に延在しておらず、原稿先端部の副走査方向の部分的な領域だけに形成されているとする。そして、長さ特定処理の開始前に原稿サイズ検知位置ＤＰに位置している移動照射部１５２における第５ブロックのＬＥＤ素子（１５２ａ’）が、原稿の先端部のベタ画像に対向しているとする。この状態で長さ特定処理を開始した読取制御部（１７０）は、移動照射部１５２を副走査方向における原稿読取開始位置ＳＰに向けて移動させる。すると、移動する移動照射部１５２の第５ブロックのＬＥＤ素子は、やがてベタ画像との対向位置から外れて原稿の先端部における無垢の表面に対向するようになる。このタイミングはベタ画像の副走査方向の長さによって異なってくるが、そのタイミングの後に第５ブロックに対応する第２種取得比較処理の実施開始タイミングが到来することもある。この場合、原稿の先端部における無垢の表面によって多くの反射光が得られることから、原稿の主走査方向における長さの誤特定を回避することができる。
【００７０】
また、たとえ第２種取得比較処理の実施開始タイミングが到来したときに、移動中の第５ブロックのＬＥＤ素子がベタ画像に対向していたとしても、その後、点灯中の第５ブロックのＬＥＤ素子がベタ画像に対向しない位置まで移動することがある。この場合、第５ブロックのＬＥＤ素子を点灯させる点灯条件で最後まで第５ブロックのＬＥＤ素子をベタ画像に対向させたままにする場合に比べて、より多くの反射光が得られることから、原稿の存在を正しく検知できる可能性がでてくる。原稿の存在を正しく検知できた場合には、主走査方向における長さの誤特定が回避される。よって、第１実施例に係る複写機においては、移動照射部１５２を副走査方向に沿って原稿読取開始位置ＳＰに向けて移動させながら長さ特定処理を行うことで、原稿の先端部に形成されたベタ画像に起因する長さの誤特定の発生を抑えることができる。
【００７１】
［第２実施例］
第２実施例に係る複写機の読取制御部（１７０）は、長さ特定処理において、上述した第１，第２，第３，第４取得比較処理の他に、必要に応じて第５，第６，第７，第８取得比較処理を実施するようになっている。第５種取得比較処理では、基礎判定領域ａに対向する第１ブロックのＬＥＤと、第２判定領域ｃに対向する第６ブロックのＬＥＤ素子とを点灯させる。そして、この点灯条件で得られた基礎判定領域ａにおける受光量の取得結果や、第２判定領域ｃにおける受光量の取得結果を、それぞれ閾値と比較する。また、第６種取得比較処理では、第２判定領域ｃに対向する第６ブロックのＬＥＤと、第３判定領域ｄに対向する第７ブロックのＬＥＤ素子とをそれぞれ点灯させる。そして、この点灯条件で得られた第２判定領域ｃにおける受光量の取得結果や、第３判定領域ｄにおける受光量の取得結果をそれぞれ閾値と比較する。また、第７種取得比較処理では、第１判定領域ｂに対向する第５ブロックのＬＥＤ素子と、第２判定領域ｃに対向する第６ブロックのＬＥＤと、第３判定領域ｄに対向する第７ブロックのＬＥＤ素子とをそれぞれ点灯させる。そして、この点灯条件で得られた第１判定領域ｂにおける受光量、第２判定領域ｃにおける受光量、第３判定領域ｄにおける受光量をそれぞれ閾値と比較する。また、第８種取得比較処理では、第１判定領域ｂに対向する第５ブロックのＬＥＤ素子と、第２判定領域ｃに対向する第６ブロックのＬＥＤと、第３判定領域ｄに対向する第７ブロックのＬＥＤ素子とをそれぞれ点灯させる。更に、基礎判定領域ａに対向する第１ブロックのＬＥＤ素子も点灯させる。そして、この点灯条件で得られた基礎判定領域ａにおける受光量、第１判定領域ｂにおける受光量、第２判定領域ｃにおける受光量、第３判定領域ｄにおける受光量をそれぞれ閾値と比較する。
【００７２】
読取制御部は、長さ特定処理にて、上述した再処理の実施の有無にかかわらず、取得比較処理や再処理を合計で所定の規定回数である４回だけ実施してから原稿の主走査方向の長さを特定するようになっている。つまり、長さ特定処理において、取得比較処理を合計で４回実施するか、あるいは取得比較処理や再処理を合計で４回実施するようになっている。
【００７３】
図１２は、第２実施例に係る複写機の読取制御部（１７０）によって実施される長さ特定処理の各工程を示すフローチャートである。長さ特定処理は、上述したように、ＡＤＦ（５１）が９０［°］の開閉角度で開かれた状態から、開閉角度が７０［°］まで低下したことに基づいて開始される。
【００７４】
長さ特定処理において、読取制御部は、まず、第１取得比較処理を実施する（ステップ１：以下、ステップをＳと記す）。そして、第１取得比較処理における比較の結果、基準判定領域ａにおける受光量について閾値以上であると判明した場合には（Ｓ２でＹ）、次に、第２取得比較処理を実施する（Ｓ３）。そして、この第２取得比較処理における比較の結果、第１判定領域ｂにおける受光量について閾値以上であると判明した場合には（Ｓ４でＹ）、次に、第３取得比較処理を実施する（Ｓ５）。更に、この第３取得比較処理における比較の結果、第２判定領域ｃにおける受光量について閾値以上であると判明した場合には（Ｓ６でＹ）、次に、第４取得比較処理を実施する（Ｓ７）。このように、初回から３回目までの取得比較処理における比較の結果が何れも、閾値以上であった場合には、４回の取得比較処理として、第１取得比較処理、第２取得比較処理、第３取得比較処理、及び第４取得比較処理を実施する。なお、４回目の第４取得比較処理（Ｓ７）における比較の結果、第３判定領域ｄにおける受光量について閾値未満であると判明した場合には、第３判定領域ｄについての再処理の実施を省略して、閾値未満であるという比較結果を確定する。
【００７５】
また、読取制御部は、上述したＳ１の工程における第１取得比較処理での比較の結果、基準判定領域ａにおける受光量について閾値以上でない（閾値を下回る）ことが判明した場合には（Ｓ２でＮ）、基準判定領域ａについての再処理を実施する（Ｓ９）。その後、再処理（Ｓ９）における比較の結果、基準判定領域ａにおける受光量について閾値以上であることが判明した場合には（Ｓ１０でＹ）、先のＳ１における第１取得比較処理では突発的な現象によって受光量が本来よりも低い値で取得されたことになる。このような場合であっても、Ｓ９において正しい受光量に基づいて閾値との比較を行うようになることから、突発的な現象に起因する原稿の主走査方向における長さの誤特定の発生を低減することができる。
【００７６】
さて、Ｓ１０において、再処理（Ｓ９）における比較の結果、基準判定領域ａにおける受光量について閾値以上であることが判明した場合に（Ｓ１０でＹ）、次の取得比較処理として通常の順序に従って第２取得比較処理を実施したとする。この場合、最後の４回目の取得比較処理として、第３取得比較処理及び第４取得比較処理のうち、何れか一方だけしか実施することができなくなることから、原稿の主走査方向の長さを特定することができなくなるおそれがでてくる。
【００７７】
そこで、読取制御部は、再処理における比較の結果、受光量について閾値以上であることが判明した場合には、点灯条件の切り替えの順序を通常の順序から変更するようになっている。具体的には、通常の順序は、第１ブロック（第１取得比較処理の実施）、第５ブロック（第２取得比較処理の実施）、第６ブロック（第３取得比較処理の実施）、第７ブロック（第４取得比較処理の実施）という順序である。上述したＳ９の再処理における比較の結果、基準判定領域ａにおける受光量について閾値以上であることが判明した場合（Ｓ１０でＹ）、通常の順序に従えば、次に第５ブロックを点灯条件にする第２取得比較処理を実施することになる。しかし、この場合、読取制御部は、次に、第２取得比較処理ではなく、第３取得比較処理を実施する（Ｓ１１）。つまり、点灯条件の切り替えの順序を通常の順序から変更する。そして、Ｓ１１の第３取得比較処理における比較の結果、第２判定領域ｃにおける受光量について閾値以上であることが判明した場合（Ｓ１２でＹ）には、最後の４回目の取得比較処理として、第４取得比較処理を実施する（Ｓ１３）。これにより、上記Ｓ９で再処理を実施しても、最終的に原稿の主走査方向の長さを正しく特定することができる。
【００７８】
本複写機において、再処理を１回も実施しないで互いに異なる点灯条件で規定である４回分の取得比較処理を実施する場合には、既に述べたように、点灯条件として、第１ブロック、第５ブロック、第６ブロック、及び第７ブロックの４つを採用する。かかる構成において、上述したＳ１２の工程において、第２判定領域ｃにおける受光量が閾値を下回ったとする（Ｓ１２でＮ）。この場合に、次に、第２判定領域ｃにおける受光量を取得するための再処理を４回目として実施すると、原稿の主走査方向の長さを特定することができなくなってしまう。より詳しくは、再処理における比較の結果、第２判定領域ｃの受光量について閾値以上であると判明した場合、第４種取得比較処理を実施して第３判定領域ｄの受光量を取得する必要があるが、それができなくなってしまう。
【００７９】
そこで、読取制御部は、再処理を実施した場合には、その後、点灯条件の切り替えの順序を通常の順序から変更するようになっている。より詳しくは、Ｓ１２の工程において、第２判定領域ｃにおける受光量が閾値未満になった場合（Ｓ１２でＮ）、第２判定領域ｃについての再処理ではなく、第７取得比較処理を実施する（Ｓ２０）。この第７取得比較処理では、第１判定領域ｂ、第２判定領域ｃ、及び第３判定領域ｄのＬＥＤ素子をそれぞれ点灯させる。上述した４つの点灯条件のうち、３つを組み合わせたものを点灯条件として採用するのである。より詳しくは、本複写機において、第１ブロックのＬＥＤだけを点灯させるのが第１点灯条件である。また、第５ブロックのＬＥＤだけを点灯させるのが第２点灯条件である。また、第６ブロックのＬＥＤだけを点灯させるのが第３点灯条件である。また、第７ブロックのＬＥＤだけを点灯させるのが第４点灯条件である。Ｓ２０の第７取得比較処理では、それらのうち、第２点灯条件、第３点灯条件、及び第４点灯条件を組み合わせた第７点灯条件を採用して、第５ブロック、第６ブロック、及び第７ブロックのＬＥＤ素子をそれぞれ点灯させる。そして、第５ブロックに対応する第１判定領域ｂにおける受光量、第６ブロックに対応する第２判定領域ｃにおける受光量、第７ブロックに対応する第３判定領域ｄにおける受光量をそれぞれ閾値と比較する。これにより、最後の４回目の比較に基づいて、原稿の主走査方向の長さを特定することができるようになる。
【００８０】
上述したＳ４の工程において、第１判定領域ｂにおける受光量が閾値未満になったとする（Ｓ４でＮ）。この場合、読取制御部は、第１判定領域ｂについての再処理を実施する（Ｓ１４）。その後、再処理（Ｓ９）における比較の結果、第１判定領域ｂにおける受光量について閾値以上であることが判明した場合には（Ｓ１５でＹ）、先のＳ３における第２取得比較処理では突発的な現象によって受光量が本来よりも低い値で取得されたことになる。このような場合であっても、Ｓ１５において正しい受光量に基づいて閾値との比較を行うようになることから、突発的な現象に起因する原稿の主走査方向における長さの誤特定の発生を低減することができる。
【００８１】
Ｓ１５において、再処理（Ｓ１４）における比較の結果、第１判定領域ｂにおける受光量について閾値以上であることが判明した場合に（Ｓ１５でＹ）、次の取得比較処理として通常の順序に従って第３取得比較処理を実施するとする。この場合、最後の４回目で第３取得比較処理を実施することになり、第４取得比較処理を実施することができなくなるので、原稿の主走査方向の長さを特定することができなくなる。
【００８２】
そこで、読取制御部は、Ｓ１４の工程の再処理を実施した場合には、その後、点灯条件の切り替えの順序を通常の順序から変更するようになっている。より詳しくは、前記再処理における比較の結果、第１判定領域ｂにおける受光量について閾値以上であることが判明した場合（Ｓ１５でＹ）には、点灯条件として第６点灯条件を採用した第６取得比較処理を実施する（Ｓ１６）。この第６取得比較処理では、第３点灯条件と第４点灯条件とを組み合わせた第６点灯条件により、第６ブロック及び第７ブロックのＬＥＤ素子をそれぞれ点灯させる。そして、第６ブロックに対応する第２判定領域ｃにおける受光量と、第７ブロックに対応する第３判定領域ｄにおける受光量とをそれぞれ閾値と比較する。これにより、上記Ｓ１４の工程で再処理を実施しても、最終的に原稿の主走査方向の長さを正しく特定することができるようになる。
【００８３】
また、読取制御部は、Ｓ１５の再処理における比較の結果、第１判定領域ｂにおける受光量について閾値未満であることが判明した場合（Ｓ１５でＮ）には、点灯条件として第７点灯条件を採用した第７取得比較処理を実施する（Ｓ２０）。これにより、上記Ｓ１４の工程で再処理を実施しても、最終的に原稿の主走査方向の長さを正しく特定することができるようになる。
【００８４】
上述したＳ９の工程における再処理で取得された基準判定領域ａにおける受光量が再び閾値未満になったとする（Ｓ１０でＮ）。この場合、第３回目として、基準判定領域ａについての再処理をもう１回行うと、第４回目までに、第１取得判定処理から第４取得判定処理までの４つを全て実施することができなくなる。そこで、読取制御部は、Ｓ１０の工程で基準判定領域ａにおける受光量が再び閾値未満になった場合には（Ｓ１０でＮ）、基準判定領域ａについての受光量の比較結果を確定して、次に、取得判定処理を実施する。この取得判定処理としては、通常の点灯条件の切り替えに従えば、第２点灯条件を採用することになる（第２取得比較処理を実施することになる）。しかしながら、そうすると、第４回目までに、第１取得判定処理から第４取得判定処理までの４つを全て実施することができなくなる。そこで、点灯条件の切り替えの順序を変更して、点灯条件として第５点灯条件を採用した第５取得比較処理を実施する（Ｓ１７）。この第５取得比較処理では、第１点灯条件と第３点灯条件とを組み合わせた第５点灯条件により、第１ブロック及び第６ブロックのＬＥＤ素子を点灯させる。そして、第１ブロックに対応する基準判定領域ａにおける受光量と、第６ブロックに対応する第２判定領域ｃにおける受光量とをそれぞれ閾値と比較する。この比較により、前者の受光量について閾値以上であることが判明し（Ｓ１８でＹ）、且つ後者の受光量について閾値未満であることが判明した場合には（Ｓ１９でＮ）、前述した第７取得比較処理を実施する（Ｓ２０）。これにより、Ｓ９の工程で再処理を実施しても、最終的に原稿の主走査方向の長さを正しく特定することができるようになる。
【００８５】
一方、第１ブロックに対応する基準判定領域ａにおける受光量について閾値未満であることが判明した場合には（Ｓ１８でＮ）、点灯条件として第８点灯条件を採用した第８取得比較処理を実施する（Ｓ２１）。この第８取得比較処理では、第１、第２、第３及び第４点灯条件を組み合わせた第８点灯条件により、第１、第５、第６、及び第７ブロックのＬＥＤ素子をそれぞれ点灯させる。そして、第１、第５、第６、第７ブロックにそれぞれ対応する基準判定領域ａ、第１判定領域ｂ、第２判定領域ｃ、第３判定領域における受光量を個別に閾値と比較する。これにより、Ｓ９の工程で再処理を実施しても、最終的に原稿の主走査方向の長さを正しく特定することができるようになる。
【００８６】
図１３は、４回分の取得比較処理や前処理における判定結果と、原稿の主走査方向の長さとの関係の例をそれぞれ示す複数の表を示す図である。同図に示される複数の表において、２行目に記されている１、２、３、４という数字はそれぞれ取得比較処理や前処理の累積実施回数を示している。既に述べたように、それら処理は合計で４回行われるようになっているため、表においては４回分のマス目が設けられている。また、同図に示される複数の表において、３行目に記されている数値は、それぞれ取得比較処理や前処理の図１２のフローチャートにおける工程番号を示している。また、複数の表において、ａ、ｂ、ｃ、ｄは、基準判定領域ａ、第１判定領域ｂ、第２判定領域ｃ、第３判定領域ｄを示している。また、複数の表において、右下隅のマス目に付されている文字は、原稿の主走査方向の長さを示している。例えば、Ａ３という文字が付されている場合には、Ａ３サイズの短手方向の長さが原稿の主走査方向の長さである。他の文字においても、２次元サイズの短手方向の長さが原稿の主走査方向の長さである。また、それぞれの表のマス目に示される○印は、受光量が閾値以上になったことを示している。また、それぞれの表のマス目に示される●印は、受光量が閾値未満になったことを示している。
【００８７】
複数の表のうち、図中左上の表を例にして、表の見方を説明する。図中左上の表の例では、第１回目、第２回目、第３回目、第４回目において、Ｓ１の第１取得比較処理、Ｓ３の第２取得比較処理、Ｓ５の第３取得比較処理、Ｓ７の第４取得比較処理が行われている。そして、それらの取得比較処理で取得された受光量が何れも閾値以上になっている。これにより、原稿の主走査方向の長さがＡ３サイズの短手方向の長さであると特定されている。
【００８８】
なお、第２実施例に係る複写機は、移動照射部（１５２）を原稿サイズ検知位置（ＤＰ）に停止させたままの状態で長さ特定処理を行うようになっているが、第１実施例と同様に、移動照射部を移動させながら長さ特定処理を実施させるようにしてもよい。
【００８９】
［第３実施例］
第３実施例に係る複写機の読取制御部は、長さ特定処理にて、１回目から４回目までに再処理を少なくとも１回実施した場合には、４回目の取得比較処理又は再処理を実施した後、必要に応じて例外として取得比較処理を追加で実施するようになっている。
（発明者の方へのコメント：後述する図１４のフローチャートは、届出書の図５のフローチャートとは、少し内容を異ならせています。異ならせた理由は次の通りです。即ち、届出書では、「予め設定された検知回数の最終検知時に前検知とで結果が変わった場合には再度検知回数を補填」するという思想に基づいて実施例が記載されています。この思想は、最終検知で「再処理」を行うことが前提になっていますが、最終検知で「取得比較処理」を行う場合であっても、最終検知よりも前に「再処理」を行っていれば、検知回数の補填が望まれるケースもあり得ると考えました。そこで、本実施例では、「１回目から規定回数目までに再処理を少なくとも１回実施した場合には、例外的に必要に応じて取得比較処理を追加（補填）する」という思想で請求項や実施例を記載しました。この件について、何か問題がある場合には、その旨、ご指摘下されば幸いです。）
【００９０】
図１４は、第３実施例に係る複写機の読取制御部によって実施される長さ特定処理の各工程を示すフローチャートである。同図において、取得比較処理の工程の横に付されている丸内の数値は、取得比較処理及び前処理の累積実施回数を示している。
【００９１】
同図のフローチャートにおいて、読取制御部は、まず、第１取得比較処理を実施する（Ｓ１）。そして、「基準判定領域ａにおける受光量≧閾値」であった場合には（Ｓ２でＹ）、２回目の処理として第２取得比較処理を実施する（Ｓ３）。そして、「第１判定領域ｂにおける受光量≧閾値」であった場合には（Ｓ４でＹ）、３回目の処理として第３取得比較処理を実施する（Ｓ５）。そして、「第２判定領域ｃにおける受光量≧閾値」であった場合には（Ｓ６でＹ）、４回目の処理として第４取得比較処理を実施する（Ｓ７）。このように、初回から３回目までの取得比較処理における比較の結果が何れも、閾値以上であった場合には、４回の取得比較処理として、第１取得比較処理、第２取得比較処理、第３取得比較処理、及び第４取得比較処理を実施する。そして、Ｓ７において、原稿の主走査方向の長さを特定する。なお、４回目の第４取得比較処理（Ｓ７）で「第３判定領域ｄにおける受光量＜閾値」になった場合には、第３判定領域ｄについての再処理の実施を省略して、閾値未満であるという比較結果を確定する。
【００９２】
また、読取制御部は、上述したＳ１の工程における第１取得比較処理で「基準判定領域ａにおける受光量＜閾値」になった場合には（Ｓ２でＮ）、２回目の処理として基準判定領域ａについての再処理を実施する（Ｓ１１）。その後、再処理（Ｓ１１）において再び同様の比較結果になった場合には（Ｓ１２でＮ）、３回目の処理として基準判定領域ａについての再処理を実施する（Ｓ１９）。この再処理（Ｓ１９）でも同様の比較結果になった場合（Ｓ２０でＮ）には、４回目の処理も基準判定領域ａについての再処理を実施する（Ｓ２４）。そして、この再処理でも同様の比較結果になった場合（Ｓ２５でＮ）には、基準判定領域ａにおける受光量について閾値未満であると確定する。この場合、Ｓ７の長さ特定工程（Ｓ７）において、原稿無しと判断する。
【００９３】
一方、Ｓ２４の再処理で「基準判定領域ａにおける受光量≧閾値」というように比較結果が変わった場合には、例外的に、第８取得比較処理を５回目の処理として追加で実施する（Ｓ２６）。この第８取得比較処理は、第２実施例に係る複写機と同様に、第１、第５、第６及び第７ブロックのＬＥＤをそれぞれ点灯させる点灯条件で、４つの判定領域（ａ，ｂ，ｃ，ｄ）における受光量をそれぞれ取得して閾値と比較する処理である。かかる第８取得比較処理を５回目として追加で実施することで、４回目の再処理の比較結果がそれまでのものから急に変わった場合であっても、Ｓ７の工程で原稿の主走査方向の長さを正しく特定することができる。
【００９４】
上記Ｓ１９の再処理で「基準判定領域ａにおける受光量≧閾値」になった場合には（Ｓ２０でＹ）、４回目の処理として第２取得比較処理を実施する（Ｓ２１）。そして、第１判定領域ｂにおける受光量＜閾値」になった場合には（Ｓ２２でＮ）、最後の４回目の処理であることから、再処理を省略して第１判定領域ｂにおける受光量について閾値未満であると確定して、原稿の主走査方向の長さを特定する（Ｓ７）。これに対し、「第１判定領域ｂにおける受光量≧閾値」になった場合には（Ｓ２２でＹ）、例外的に、第６取得比較処理を５回目の処理として追加で実施する（Ｓ２３）。この第６取得比較処理は、第２実施例に係る複写機と同様に、第６及び第７ブロックのＬＥＤをそれぞれ点灯させる点灯条件で、２つの判定領域（ｃ，ｄ）における受光量をそれぞれ取得して閾値と比較する処理である。かかる第６取得比較処理を５回目として追加で実施することで、４回目までに再処理を複数回実施していても、Ｓ７の工程で原稿の主走査方向の長さを正しく特定することができる。
【００９５】
Ｓ１１の再処理で「基準判定領域ａにおける受光量≧閾値」であった場合には（Ｓ１２でＹ）、３回目の処理として第２取得比較処理を実施する（Ｓ１３）。そして、「第１判定領域ｂにおける受光量＜閾値」になった場合には（Ｓ１４でＮ）、４回目の処理として第１判定領域ｂについての再処理を実施した後（Ｓ１８）、制御フローを上述したＳ２２にループさせる。これにより、Ｓ７の工程で原稿の主走査方向の長さを正しく特定することができる。一方、Ｓ１３の第２取得比較処理で「第１判定領域ｂにおける受光量≧閾値」になった場合には（Ｓ１４でＹ）、４回目の処理として第３取得比較処理を実施する（Ｓ１５）。そして、「第２判定領域ｃにおける受光量＜閾値」になった場合には（Ｓ１６でＮ）、最後の４回目の処理であることから、再処理を省略して閾値未満であるという判定結果を確定して、原稿の主走査方向の長さを特定する（Ｓ７）。また、「第２判定領域ｃにおける受光量≧閾値」になった場合には（Ｓ１６でＹ）、例外的に、第４取得比較処理を５回目の処理として追加で実施する（Ｓ１７）。これにより、４回目までの処理で再処理を実施していても、Ｓ７の工程で原稿の主走査方向の長さを正しく特定することができる。
【００９６】
また、Ｓ３の第２取得比較処理で「第１判定領域ｂにおける受光量＜閾値」になった場合には（Ｓ４でＮ）、３回目の処理として第１判定領域ｂについての再処理を実施した後（Ｓ９）、制御フローを上述したＳ１４にループさせる。これにより、Ｓ７の工程で原稿の主走査方向のサイズを正しく特定することができる。
【００９７】
また、Ｓ５の第３取得比較処理で「第２判定領域ｃにおける受光量＜閾値」になった場合には（Ｓ６でＮ）、４回目の処理として、第２判定領域ｃについての再処理を実施した後（Ｓ１０）、制御フローを上述したＳ１６にループさせる。これにより、Ｓ７の工程で原稿の主走査方向のサイズを正しく特定することができる。
【００９８】
以上のように、１回目から４回目までに再処理を少なくとも１回実施した場合には、４回目の後、必要に応じて例外として取得比較処理を追加で実施することで、再処理を実施しても原稿の主走査方向のサイズを正しく特定することができる。
【００９９】
なお、第３実施例に係る複写機は、移動照射部（１５２）を原稿サイズ検知位置（ＤＰ）に停止させたままの状態で長さ特定処理を行うようになっているが、第１実施例と同様に、移動照射部を移動させながら長さ特定処理を実施させるようにしてもよい。
【０１００】
以上に説明したものは一例であり、本発明は、次の態様毎に特有の効果を奏する。
［態様Ａ］
原稿を載置する原稿台（例えば第２コンタクトガラス１５５）と、前記原稿台の表面に沿った主走査方向に並ぶ複数の分割光源（例えばＬＥＤ素子１５２ａ’）を具備する光源（例えばＬＥＤアレイ１５２ａ）のそれぞれの分割光源から発した光を前記原稿台上の原稿に向けて照射して原稿面での反射光を得ながら、前記表面に沿いつつ主走査方向に直交する方向である副走査方向に移動する移動照射手段（例えば移動照射部１５２）と、前記移動照射手段からの反射光を受光して原稿の画像を読み取る画像センサー（例えばＣＣＤ１５３）と、前記移動照射手段を副走査方向における原稿サイズ検知位置に移動させた状態で前記原稿の主走査方向の長さを特定するための長さ特定処理を開始し、前記長さ特定処理にて、複数の前記分割光源の少なくとも１つを点灯させながら前記画像センサーによる受光量を取得した結果と所定の閾値とを比較する取得比較処理を、点灯させる前記分割光源を順次切り替えてそれぞれ実施し、それぞれの前記取得比較処理における比較結果に基づいて前記長さを特定する制御手段（例えば読取制御部１７０）とを有する原稿読取装置（例えばスキャナ１５０）において、前記取得比較処理にて、前記受光量が前記閾値を下回った場合又は前記閾値以下であった場合には、次回に前記分割光源の点灯条件を切り替えて前記取得比較処理を実施する代わりに、点灯させる前記分割光源を切り替えずに同じ点灯条件で前記受光量を再び取得した結果と前記閾値とを再比較する再処理を少なくとも１回実施するように、前記制御手段を構成したことを特徴とするものである。
【０１０１】
［態様Ｂ］
態様Ｂは、態様Ａにおいて、前記長さ特定処理にて、前記移動照射手段を副走査方向における原稿読取開始位置に向けて移動させる処理を実施するように、前記制御手段を構成したことを特徴とするものである。かかる構成では、第１実施例に係る複写機を例にして説明したように、原稿の先端部に形成されたベタ画像に起因する長さの誤特定の発生を抑えることができる。
【０１０２】
［態様Ｃ］
態様Ｃは、態様Ａ又はＢにおいて、前記長さ特定処理にて、前記再処理の実施の有無にかかわらず、前記取得比較処理や前記再処理を合計で所定の規定回数だけ実施してから前記長さを特定する処理を実施するように、前記制御手段を構成したことを特徴とするものである。かかる構成では、規定回数を限度として必要に応じて処理を繰り返し実施することで、突発的な現象に起因する原稿長さの誤特定の発生をより確実に低減することができる。
【０１０３】
［態様Ｄ］
態様Ｄは、態様Ｃにおいて、前記再処理を実施した場合には、その後、前記点灯条件の切り替えの順序を通常の順序から変更する処理を実施するように、前記制御手段を構成したことを特徴とするものである。かかる構成では、第２実施例に係る複写機を例にして説明したように、再処理を実施しても、取得比較処理及び再処理の累積実施回数を規定回数内に留めつつ、最終的に原稿の主走査方向の長さを正しく特定することができる。
【０１０４】
［態様Ｅ］
態様Ｅは、態様Ｃ又はＤにおいて、前記再処理における比較の結果が前記閾値以上になった場合又は前記閾値を超えた場合には、その後に実施する前記取得比較処理における前記点灯条件として、前記再処理を１回も実施しないで互いに異なる点灯条件で前記規定回数分の前記取得比較処理を実施する場合におけるそれぞれの点灯条件を２つ以上組み合わせたものを採用する処理を実施するように、前記制御手段を構成したことを特徴とするものである。かかる構成において、規定回数に達する直前の取得比較処理又は再処理を実施した時点で取得比較処理を必要な回数だけ実施していなかったとする。このような場合であっても、第２実施例に係る複写機を例にして説明したように、規定回数目の取得比較処理で組み合わせの点灯条件で分割光源を点灯させて受光量を取得することで、規定回数内で原稿の主走査方向の長さを正しく特定することができる。
【０１０５】
［態様Ｆ］
態様Ｆは、態様Ｃ〜Ｅの何れかにおいて、前記長さ特定処理にて、前記規定回数目に前記取得比較処理を実施し且つその取得比較処理で前記受光量が前記閾値を下回った場合又は前記閾値以下であった場合には、前記再処理の実施を省略する処理を実施するように、前記制御手段を構成したことを特徴とするものである。かかる構成では、再処理の省略により、処理の累積実施回数を規定回数内に収めることができる。
【０１０６】
［態様Ｇ］
態様Ｇは、態様Ｃ〜Ｆの何れかにおいて、前記長さ特定処理にて、１回目から前記規定回数目までに前記再処理を少なくとも１回実施した場合には、前記規定回数目の前記取得比較処理又は前記再処理を実施した後、必要に応じて例外として前記取得比較処理を追加で実施し、その取得比較処理にて１回目から規定回数目までで採用しなかった点灯条件で前記分割光源を点灯させる処理を実施するように、前記制御手段を構成したことを特徴とするものである。かかる構成では、第３実施例に係る複写機を例にして説明したように、再処理を実施しても、最終的に原稿の主走査方向の長さを正しく特定することができる。
【０１０７】
［態様Ｈ］
態様Ｈは、態様Ａ〜Ｇの何れかにおいて、前記原稿台上に載置された原稿を前記原稿台の表面に向けて押さえる原稿押さえ手段（例えばＡＤＦ５１）と、前記原稿押さえ手段の前記原稿台に対する開閉動作を検知する開閉検知手段（例えば開閉センサー１５７）とを設けるとともに、前記開閉検知手段によって前記原稿押さえ手段の閉動作が検知されたことに基づいて、前記長さ特定処理を開始する処理を実施するように、制御手段を構成したことを特徴とするものである。かかる構成では、開閉動作に連動させて、移動照射手段を原稿サイズ検知位置まで移動させたり、長さ特定処理を開始したりすることができる。
【符号の説明】
【０１０８】
５１：ＡＤＦ（原稿押さえ手段）
１５０：スキャナ（原稿読取装置）
１５２：移動照射部（移動照射手段）
１５２ａ：ＬＥＤアレイ（光源）
１５２ａ’：ＬＥＤ素子（分割光源）
１５３：ＣＣＤ（画像センサー）
１５５：第２コンタクトガラス（原稿台）
１５７：開閉センサー（開閉検知手段）
１７０：読取制御部（制御手段）
ＤＰ：原稿サイズ検知位置
ＳＰ：読取開始位置
【先行技術文献】
【特許文献】
【０１０９】
【特許文献１】特開２００５−３５４２０５号公報
【図１】
2014138220.tif 000003
【図２】
2014138220.tif 000004
【図３】
2014138220.tif 000005
【図４】
2014138220.tif 000006
【図５】
2014138220.tif 000007
【図６】
2014138220.tif 000008
【図７】
2014138220.tif 000009
【図８】
2014138220.tif 000010
【図９】
2014138220.tif 000011
【図１０】
2014138220.tif 000012
【図１１】
2014138220.tif 000013
【図１２】
2014138220.tif 000014
【図１３】
2014138220.tif 000015
【図１４】
2014138220.tif 000016